(57)【要約】【課題】プラント施設のプロセスデータの収集および蓄積を行うバックアップシステムの構成を小規模化して、データ収集におけるデータ欠損を抑制する。【解決手段】プラントデータ処理装置は、複数のプラント施設それぞれのプロセスデータを伝送するプラントデータ伝送路群３１０と、それぞれが各プロセスデータを入力可能に構成されたデータ管理処理部群１１０と、全てのプロセスデータを入力可能なデータバックアップ処理部１２と、データ管理処理部群１１０およびデータバックアップ処理部１２それぞれからプロセスデータを受信可能に構成されたデータ収集処理部１３と、データ収集処理部１３で収集されたプロセスデータを蓄積するデータ蓄積処理部１４とを有する。【選択図】図１
2010086033.tif 000002
【特許請求の範囲】
【請求項１】
複数のプラント施設それぞれのプロセスデータを伝送する複数のプラントデータ伝送路と、それぞれが前記各プロセスデータを入力可能に構成された複数のデータ管理処理部と、前記各プロセスデータを入力可能なデータバックアップ処理部と、前記データ管理処理部およびデータバックアップ処理部それぞれから前記プロセスデータを受信可能に構成されたデータ収集処理部と、このデータ収集処理部から送信された前記プロセスデータを蓄積するデータ蓄積処理部と、を有するプラントデータ処理装置において、
前記プロセスデータは、前記データ管理処理部で入力されるＡ系プロセスデータと、前記データバックアップ処理部で受信するＢ系プロセスデータを含み、
前記複数のデータ管理処理部それぞれは、
前記各プラントデータ伝送部から伝送された前記Ａ系プロセスデータを入力可能なＡ系プロセスデータ入力手段と、
前記各Ａ系プロセスデータ入力手段で入力された前記Ａ系プロセスデータを前記データ収集処理部に送信可能で且つＡ系データ属性情報に基づいて入力されたＡ系データ属性変更回数情報を前記データ収集処理部に送信可能に構成されて、前記Ａ系プロセスデータを前記データ収集処理部に送信している状態を示す提供状態の情報と前記Ａ系データ属性変更回数情報とを前記データバックアップ処理部に送信可能に構成されたＡ系プロセスデータ送信手段と、を有し、
前記データバックアップ処理部は、
前記プラントデータ伝送路それぞれで伝送される前記各Ｂ系プロセスデータを入力可能なＢ系プロセスデータ入力手段と、
前記各Ａ系プロセスデータ送信手段から受信した前記提供状態の情報をデータ提供状態情報として保存して、前記各Ａ系プロセスデータ送信手段から受信した前記Ａ系データ属性変更回数情報をデータ属性変化情報として保存するデータ提供状態更新手段と、
前記データ提供状態情報を読み取って、前記提供状態が提供できていないときまたは前記提供状態が確認できないときには前記Ｂ系プロセスデータ入力手段で入力されたＢ系プロセスデータおよびＢ系データ属性変更回数情報を前記データ収集処理部に送信し、前記提供状態が提供可能のときには前記Ｂ系プロセスデータおよびＢ系データ属性変更回数情報を前記データ収集処理部に送信しないように構成されたＢ系プロセスデータ送信手段と、
を有することを特徴とするプラントデータ処理装置。
【請求項２】
複数のプラント施設それぞれのプロセスデータを伝送する複数のプラントデータ伝送路と、それぞれが前記各プロセスデータを入力可能に構成された複数のデータ管理処理部と、前記各プロセスデータを入力可能なデータバックアップ処理部と、前記データ管理処理部およびデータバックアップ処理部それぞれから前記プロセスデータを受信可能に構成されたデータ収集処理部と、このデータ収集処理部から送信された前記プロセスデータを蓄積するデータ蓄積処理部と、を有するプラントデータ処理装置において、
前記プロセスデータは、前記データ管理処理部で入力されるＡ系プロセスデータと、前記データバックアップ処理部で受信するＢ系プロセスデータを含み、
前記複数のデータ管理処理部それぞれは、
前記各プラントデータ伝送部から伝送された前記Ａ系プロセスデータを入力可能なＡ系プロセスデータ入力手段と、
前記各Ａ系プロセスデータ入力手段で入力された前記Ａ系プロセスデータを前記データ収集処理部に送信可能で且つＡ系データ属性情報に基づいて入力されたＡ系データ属性変更回数情報を前記データ収集処理部に送信可能に構成されて、前記Ａ系プロセスデータを前記データ収集処理部に送信している状態を示す提供状態の情報と前記Ａ系データ属性変更回数情報とを前記データバックアップ処理部に送信可能に構成されたＡ系プロセスデータ送信手段と、を有し、
前記データ収集処理部は、
前記Ａ系プロセスデータ送信手段により送信された前記Ａ系プロセスデータおよびＡ系データ属性変更回数情報を受信可能に構成されたＡ系プロセスデータ受信手段と、
前記データバックアップ処理部により送信された前記Ｂ系プロセスデータおよびＢ系データ属性変更回数情報を受信可能に構成されたＢ系プロセスデータ受信手段と、
前記Ａ系プロセスデータ受信手段およびＢ系プロセスデータ受信手段それぞれで受信したＡ系プロセスデータおよびＢ系プロセスデータのうち、どちらを蓄積するかを判定するバックアップデータ優先判定手段と、
前記Ａ系プロセスデータ送信手段により送信された前記Ａ系プロセスデータおよびＡ系データ属性変更回数情報を前記Ａ系プロセスデータ受信手段を介して受信可能で、前記データバックアップ処理部により送信された前記Ｂ系プロセスデータおよびＢ系データ属性変更回数情報を前記Ｂ系プロセスデータ受信手段を介して受信可能で、前記バックアップデータ優先判定手段の判定結果に基づいて、前記Ａ系プロセスデータおよびＢ系プロセスデータのうちどちらか一方と、前記Ａ系データ属性変更回数情報およびＢ系データ属性変更回数情報のうちどちらか一方とを、バッファリングデータとして一時保存が可能なデータバッファリング手段と、
を有することを特徴とするプラントデータ処理装置。
【請求項３】
複数のプラント施設それぞれのプロセスデータを伝送する複数のプラントデータ伝送路と、それぞれが前記各プロセスデータを入力可能に構成された複数のデータ管理処理部と、前記各プロセスデータを入力可能なデータバックアップ処理部と、前記データ管理処理部およびデータバックアップ処理部それぞれから前記プロセスデータを受信可能に構成されたデータ収集処理部と、このデータ収集処理部から送信された前記プロセスデータを蓄積するデータ蓄積処理部と、を有するプラントデータ処理装置において、
前記プロセスデータは、前記データ管理処理部で入力されるＡ系プロセスデータと、前記データバックアップ処理部で受信するＢ系プロセスデータを含み、
前記複数のデータ管理処理部それぞれは、
前記各プラントデータ伝送部から伝送された前記Ａ系プロセスデータを入力可能なＡ系プロセスデータ入力手段と、
前記各Ａ系プロセスデータ入力手段で入力された前記Ａ系プロセスデータを前記データ収集処理部に送信可能で且つＡ系データ属性情報に基づいて入力されたＡ系データ属性変更回数情報を前記データ収集処理部に送信可能に構成されて、前記Ａ系プロセスデータを前記データ収集処理部に送信している状態を示す提供状態の情報と前記Ａ系データ属性変更回数情報とを前記データバックアップ処理部に送信可能に構成されたＡ系プロセスデータ送信手段と、を有し、
前記データバックアップ処理部は、
前記プラントデータ伝送路それぞれで伝送される前記各Ｂ系プロセスデータを入力可能なＢ系プロセスデータ入力手段と、
前記各Ａ系プロセスデータ送信手段から受信した前記提供状態の情報をデータ提供状態情報として保存して、前記各Ａ系プロセスデータ送信手段から受信した前記Ａ系データ属性変更回数情報をデータ属性変化情報として保存するデータ提供状態更新手段と、
前記データ提供状態情報を読み取って、前記提供状態が提供できていないときまたは前記提供状態が確認できないときには前記Ｂ系プロセスデータ入力手段で入力されたＢ系プロセスデータおよびＢ系データ属性変更回数情報を前記データ収集処理部に送信し、前記提供状態が提供可能のときには前記Ｂ系プロセスデータおよびＢ系データ属性変更回数情報を前記データ収集処理部に送信しないように構成されたＢ系プロセスデータ送信手段と、を有し、
前記データ収集処理部は、
前記Ａ系プロセスデータ送信手段により送信された前記Ａ系プロセスデータおよびＡ系データ属性変更回数情報を受信可能に構成されたＡ系プロセスデータ受信手段と、
前記Ｂ系プロセスデータ送信手段により送信された前記Ｂ系プロセスデータおよびＢ系データ属性変更回数情報を受信可能に構成されたＢ系プロセスデータ受信手段と、
前記Ａ系プロセスデータ受信手段およびＢ系プロセスデータ受信手段それぞれで受信したＡ系プロセスデータおよびＢ系プロセスデータのうち、どちらを蓄積するかを判定するバックアップデータ優先判定手段と、
前記Ａ系プロセスデータ送信手段により送信された前記Ａ系プロセスデータおよびＡ系データ属性変更回数情報を前記Ａ系プロセスデータ受信手段を介して受信可能で、前記Ｂ系プロセスデータ送信手段により送信された前記Ｂ系プロセスデータおよびＢ系データ属性変更回数情報を前記Ｂ系プロセスデータ受信手段を介して受信可能で、前記バックアップデータ優先判定手段の判定結果に基づいて、前記Ａ系プロセスデータおよびＢ系プロセスデータのうちどちらか一方と、前記Ａ系データ属性変更回数情報およびＢ系データ属性変更回数情報のうちどちらか一方とを、バッファリングデータとして一時保存が可能なデータバッファリング手段と、
を有することを特徴とするプラントデータ処理装置。
【請求項４】
前記データ蓄積処理部は、
前記バッファリングデータとして一時保存された前記データ属性変更回数情報と、前記Ａ系データ属性情報を受信して保存されたＣ系データ属性情報に格納されるＣ系データ属性変更回数情報とを比較して、変更回数情報が異なる場合に、前記バッファリングデータで一時保存された前記データ属性変更回数情報と同じ変更回数情報を有する前記Ａ系データ属性情報を前記データ管理処理部から取得して、取得した前記Ａ系データ属性情報に基づいてＣ系データ属性情報を更新可能に構成されたデータ属性取得手段と、
前記変更回数情報が一致した場合に前記Ｃ系データ属性情報を前記バッファリングデータに付加して蓄積データとして保存するように構成されたデータ保存手段と、
を有することを特徴とする請求項２または請求項３に記載のプラントデータ処理装置。
【発明の詳細な説明】
【技術分野】
【０００１】
本発明は、複数のプラント施設それぞれのプロセスデータを収集および蓄積するプラントデータ処理装置に関する。
【背景技術】
【０００２】
核燃料再処理プラントなど大規模なプラントにおいて、複数のプラント施設の運転により発生するプロセスデータは、トラブル解析などプラントの状態を知る上で有効な要素の１つである。より詳細な分析を行うには、多くのプロセスデータを収集する必要がある。そのためには、プラント全体のプラント施設のプロセスデータを欠損させることなく収集して、長期的に蓄積することが望ましい。
【０００３】
一般に大規模なプラントでは、用途に応じ複数の施設に分割し、分割された施設毎にプロセスデータを管理している。このとき、データ収集に用いられるプロセスデータ処理装置は、水平分散型の冗長化を構成することで収集処理の持続性を確保し欠損を抑制している。
【０００４】
分散制御システムは、例えば特許文献１に開示されているように、送路上に分散して接続された各制御用コンピュータに対して制御に必要な共通の制御用データを漏れなく配信するものが知られている。
【０００５】
大規模なプラントのデータを管理するシステムにおいて過去のデータをグラフなどで参照する場合、データを識別するためにセンサの種類、入力点の番号、名称、単位などの属性が付された状態で参照される。これらの属性は、プロセスデータとは区別した箇所に管理されており、必要に応じて参照されている。プロセスデータを参照するときには常に最新の属性情報が用いられる。
【特許文献１】特開２００７−２０７２５８号公報
【発明の開示】
【発明が解決しようとする課題】
【０００６】
しかしながら、水平分散による冗長構成の実現には、プロセスデータの収集に用いる装置が増加することで、設置スペースの確保が困難になることもある。また、装置の設置およびメンテナンスに伴う費用も増加する。
【０００７】
一般に水平分散による冗長化構成では、大容量の磁気ディスクが共有される。データ収集処理において、主として稼動状態にある装置に何らかの異常が発生した場合には、待機状態にある装置にて以後のデータ収集を引き継ぐ。
【０００８】
このとき稼動状態にある装置が共有ディスクデバイスを切り離した後、待機状態にある装置にて新たにディスクデバイスを接続する必要がある。この場合、ディスクデバイスの切り離しと接続が行われている間は、収集処理が一時的に停止状態となりデータを収集できないことがある。
【０００９】
水平分散による冗長化構成では、稼動状態にある装置の異常を検知する場合、ネットワークを介して応答の有無によって稼働装置の健全性を判断する方法が用いられている。しかし、待機状態にある装置側での応答を確認する周期が、稼動状態にある装置側のデータの入力周期と同期するものでない場合には、データの欠損を招く可能性がある。
【００１０】
また、このようなネットワーク監視による方法では、稼動状態にある装置側にて入力したデータ自体の健全性を、待機状態にある装置側で確認することは困難である。
【００１１】
さらに、長期的にデータが蓄積される間にデータの属性は変化することがあり、このようなデータを最新の属性情報のみで参照することは、データ自体の信頼性が低下する。また、蓄積データに属性情報を付す際に属性情報の変更タイミングとデータの発生タイミングとを一致させなければ不整合が生じることがある。
【００１２】
本発明は上記課題を解決するためになされたものであって、その目的は、プラント施設のプロセスデータの収集および蓄積を行うバックアップシステムの構成を小規模にして、データ収集におけるデータ欠損を抑制することである。
【課題を解決するための手段】
【００１３】
上記目的を達成するための本発明に係るプラントデータ処理装置は、複数のプラント施設それぞれのプロセスデータを伝送する複数のプラントデータ伝送路と、それぞれが前記各プロセスデータを入力可能に構成された複数のデータ管理処理部と、前記各プロセスデータを入力可能なデータバックアップ処理部と、前記データ管理処理部およびデータバックアップ処理部それぞれから前記プロセスデータを受信可能に構成されたデータ収集処理部と、このデータ収集処理部から送信された前記プロセスデータを蓄積するデータ蓄積処理部と、を有するプラントデータ処理装置において、前記プロセスデータは、前記データ管理処理部で入力されるＡ系プロセスデータと、前記データバックアップ処理部で受信するＢ系プロセスデータを含み、前記複数のデータ管理処理部それぞれは、前記各プラントデータ伝送部から伝送された前記Ａ系プロセスデータを入力可能なＡ系プロセスデータ入力手段と、前記各Ａ系プロセスデータ入力手段で入力された前記Ａ系プロセスデータを前記データ収集処理部に送信可能で且つＡ系データ属性情報に基づいて入力されたＡ系データ属性変更回数情報を前記データ収集処理部に送信可能に構成されて、前記Ａ系プロセスデータを前記データ収集処理部に送信している状態を示す提供状態の情報と前記Ａ系データ属性変更回数情報とを前記データバックアップ処理部に送信可能に構成されたＡ系プロセスデータ送信手段と、を有し、前記データバックアップ処理部は、前記プラントデータ伝送路それぞれで伝送される前記各Ｂ系プロセスデータを入力可能なＢ系プロセスデータ入力手段と、前記各Ａ系プロセスデータ送信手段から受信した前記提供状態の情報をデータ提供状態情報として保存して、前記各Ａ系プロセスデータ送信手段から受信した前記Ａ系データ属性変更回数情報をデータ属性変化情報として保存するデータ提供状態更新手段と、前記データ提供状態情報を読み取って、前記提供状態が提供できていないときまたは前記提供状態が確認できないときには前記Ｂ系プロセスデータ入力手段で入力されたＢ系プロセスデータおよびＢ系データ属性変更回数情報を前記データ収集処理部に送信し、前記提供状態が提供可能のときには前記Ｂ系プロセスデータおよびＢ系データ属性変更回数情報を前記データ収集処理部に送信しないように構成されたＢ系プロセスデータ送信手段と、を有することを特徴とする。
【００１４】
また、本発明に係るプラントデータ処理装置は、複数のプラント施設それぞれのプロセスデータを伝送する複数のプラントデータ伝送路と、それぞれが前記各プロセスデータを入力可能に構成された複数のデータ管理処理部と、前記各プロセスデータを入力可能なデータバックアップ処理部と、前記データ管理処理部およびデータバックアップ処理部それぞれから前記プロセスデータを受信可能に構成されたデータ収集処理部と、このデータ収集処理部から送信された前記プロセスデータを蓄積するデータ蓄積処理部と、を有するプラントデータ処理装置において、前記プロセスデータは、前記データ管理処理部で入力されるＡ系プロセスデータと、前記データバックアップ処理部で受信するＢ系プロセスデータを含み、前記複数のデータ管理処理部それぞれは、前記各プラントデータ伝送部から伝送された前記Ａ系プロセスデータを入力可能なＡ系プロセスデータ入力手段と、前記各Ａ系プロセスデータ入力手段で入力された前記Ａ系プロセスデータを前記データ収集処理部に送信可能で且つＡ系データ属性情報に基づいて入力されたＡ系データ属性変更回数情報を前記データ収集処理部に送信可能に構成されて、前記Ａ系プロセスデータを前記データ収集処理部に送信している状態を示す提供状態の情報と前記Ａ系データ属性変更回数情報とを前記データバックアップ処理部に送信可能に構成されたＡ系プロセスデータ送信手段と、を有し、前記データ収集処理部は、前記Ａ系プロセスデータ送信手段により送信された前記Ａ系プロセスデータおよびＡ系データ属性変更回数情報を受信可能に構成されたＡ系プロセスデータ受信手段と、前記データバックアップ処理部により送信された前記Ｂ系プロセスデータおよびＢ系データ属性変更回数情報を受信可能に構成されたＢ系プロセスデータ受信手段と、前記Ａ系プロセスデータ受信手段およびＢ系プロセスデータ受信手段それぞれで受信したＡ系プロセスデータおよびＢ系プロセスデータのうち、どちらを蓄積するかを判定するバックアップデータ優先判定手段と、前記Ａ系プロセスデータ送信手段により送信された前記Ａ系プロセスデータおよびＡ系データ属性変更回数情報を前記Ａ系プロセスデータ受信手段を介して受信可能で、前記データバックアップ処理部により送信された前記Ｂ系プロセスデータおよびＢ系データ属性変更回数情報を前記Ｂ系プロセスデータ受信手段を介して受信可能で、前記バックアップデータ優先判定手段の判定結果に基づいて、前記Ａ系プロセスデータおよびＢ系プロセスデータのうちどちらか一方と、前記Ａ系データ属性変更回数情報およびＢ系データ属性変更回数情報のうちどちらか一方とを、バッファリングデータとして一時保存が可能なデータバッファリング手段と、を有することを特徴とする。
【発明の効果】
【００１５】
本発明によれば、プラント施設のプロセスデータの収集および蓄積を行うバックアップシステムの構成を小規模にして、データ収集におけるデータ欠損を抑制することが可能になる。
【発明を実施するための最良の形態】
【００１６】
以下、本発明に係るプラントデータ処理装置の一実施形態について、図１〜図５を参照して説明する。図１は、本実施形態のプラントデータ処理装置のブロック構成図である。図２は、図１のデータ管理処理部群１１０の詳細を示すブロック構成図である。図３は、図１のデータバックアップ処理部１２の詳細を示すブロック構成図である。図４は、図１のデータ収集処理部１３の詳細を示すブロック構成図である。図５は、図１のデータ蓄積処理部１４の詳細を示すブロック構成図である。
【００１７】
本実施形態のプラントデータ処理装置は、プラントデータ伝送路群３１０と、データ管理処理部群１１０と、データバックアップ処理部１２と、データ収集処理部１３と、データ蓄積処理部１４とを有している。
【００１８】
プラントデータ伝送路群３１０はデータ管理処理部群１１０およびデータバックアップ処理部１２と通信可能に構成されている。データ管理処理部群１１０は、プラントデータ伝送路群３１０、データバックアップ処理部１２、データ収集処理部１３およびデータ蓄積処理部１４と通信可能に構成されている。データバックアップ処理部１２は、プラントデータ伝送路群３１０、データ管理処理部群１１０およびデータ収集処理部１３と通信可能に構成されている。データ収集処理部１３は、データ管理処理部群１１０、データバックアップ処理部１２およびデータ蓄積処理部１４と通信可能に構成されている。データ蓄積処理部１４は、データ管理処理部群１１０およびデータ収集処理部１３と通信可能に構成されている。
【００１９】
プラントデータ伝送路群３１０は、プラント内の複数（ｎ個）の施設（図示せず）それぞれのプロセスデータを別々に伝送する機能を有している。すなわち、プラントデータ伝送路群３１０は、第１施設〜第ｎ施設それぞれに対応するように、複数の伝送路、すなわち第１〜第ｎプラントデータ伝送路３１１〜３１ｎを有している。
【００２０】
以下に、データ管理処理部群１１０の構成について説明する。
【００２１】
図２に示すように、データ管理処理部群１１０は、ｎ個の施設それぞれに対応するように第１データ管理処理部１１１〜第ｎデータ管理処理部１１ｎを有している。データ管理処理部群１１０は、別々のｎ個の装置によって構成されている。これらの第１〜第ｎデータ管理処理部１１１〜１１ｎは、第１〜第ｎプラントデータ伝送路３１１〜３１ｎで伝送されるプロセスデータをそれぞれ入力可能に構成されている。
【００２２】
ここで、プラントデータ伝送路群３１０から第１〜第ｎデータ管理処理部１１１〜１１ｎそれぞれに伝送される系統をＡ系統として、このＡ系統で伝送されるプロセスデータを総称してＡ系プロセスデータ群４１０とする。このＡ系プロセスデータ群４１０は、第１施設〜第ｎ施設それぞれに対応する第１〜第ｎＡ系プロセスデータを含んでいる。図２では、第１Ａ系プロセスデータ４１１のみを示し、第２〜第ｎＡ系プロセスデータの図示は省略している。
【００２３】
データ管理処理部群１１０は、Ａ系プロセスデータ入力手段群２１０と、Ａ系プロセスデータ送信手段群２２０と、Ａ系データ送信用メモリ群３２０と、Ａ系データ属性情報群４２０と、Ａ系データ属性変更回数情報群４３０とを有する。
【００２４】
Ａ系データ属性情報群４２０は、Ａ系プロセスデータ群４１０を識別するために、センサの種類、入力点の番号、名称、単位などの属性を示す情報である。このＡ系データ属性情報群４２０の情報は、データ蓄積処理部１４に送信可能に構成されている。Ａ系データ属性情報群４２０は、第１施設〜第ｎ施設それぞれに対応する第１〜第ｎＡ系データ属性情報を含んでいる。図２では、第１Ａ系データ属性情報４２１のみを示し、第２〜第ｎＡ系データ属性情報の図示は省略している。
【００２５】
Ａ系データ属性変更回数情報群４３０は、Ａ系データ属性情報群４２０の属性情報を変更した回数を示す情報群である。Ａ系データ属性情報群４２０と同様に、Ａ系データ属性変更回数情報群４３０は、第１施設〜第ｎ施設それぞれに対応する第１〜第ｎＡ系データ属性変更回数情報を含んでいる。図２では、第１Ａ系データ属性変更回数情報４３１のみを示し、第２〜第ｎＡ系データ属性変更回数情報の図示は省略している。
【００２６】
Ａ系プロセスデータ入力手段群２１０は、第１施設〜第ｎ施設それぞれに対応する第１〜第ｎＡ系プロセスデータ入力手段を含んでいる。図２では、第１Ａ系プロセスデータ入力手段２１１のみを示し、第２〜第ｎＡ系プロセスデータ入力手段の図示は省略している。Ａ系プロセスデータ入力手段群２１０は、ｎ個の施設それぞれのプロセスデータを入力可能に構成されている。ここで入力されるプロセスデータは、Ａ系プロセスデータである。
【００２７】
Ａ系プロセスデータ送信手段群２２０は、第１施設〜第ｎ施設それぞれに対応する第１〜第ｎＡ系プロセスデータ送信手段を含んでいる。図２では、第１Ａ系プロセスデータ送信手段２２１のみを示し、第２〜第ｎＡ系プロセスデータ入力手段の図示は省略している。
【００２８】
Ａ系プロセスデータ送信手段群２２０は、Ａ系プロセスデータ入力手段群２１０それぞれで入力されたＡ系プロセスデータ群４１０をデータ収集処理部１３に送信可能に構成されている。このＡ系プロセスデータ送信手段群２２０は、Ａ系データ属性情報群４２０に基づいて入力されたＡ系データ属性変更回数情報群４３０を、Ａ系データ送信用メモリ群３２０を介して、データ収集処理部１３に送信可能に構成されている。図２では、第１Ａ系データ送信用メモリ３２１のみを示している。
【００２９】
さらに、Ａ系プロセスデータ送信手段群２２０は、データ収集処理部１３にＡ系プロセスデータ群４１０を送信している状態を示す提供状態の情報と、Ａ系データ属性変更回数情報群４３０と、をデータバックアップ処理部１２のデータ提供状態更新手段２３に送信可能に構成されている。
【００３０】
次に、データバックアップ処理部１２の構成について説明する。
【００３１】
図３に示すように、データバックアップ処理部１２は、１つの装置によって構成されている。第１〜第ｎプラントデータ伝送路３１１〜３１ｎそれぞれで伝送される全てのプロセスデータを入力可能に構成されている。ここで、第１〜第ｎプラントデータ伝送路３１１〜３１ｎそれぞれから、データバックアップ処理部１２に伝送される系統をＢ系統として、このＢ系統で伝送されるプロセスデータをＢ系プロセスデータ４５としている。
【００３２】
データバックアップ処理部１２は、Ｂ系プロセスデータ入力手段２４と、データ提供状態更新手段２３と、Ｂ系プロセスデータ送信手段２５と、Ｂ系データ送信用メモリ３３と、を有する。
【００３３】
Ｂ系プロセスデータ入力手段２４は、第１〜第ｎプラントデータ伝送路３１１〜３１ｎそれぞれで伝送される全てのＢ系プロセスデータ４５を入力可能に構成されている。
【００３４】
データ提供状態更新手段２３は、データ管理処理部群１１０のＡ系プロセスデータ送信手段群２２０からＡ系プロセスデータ群４１０の提供状態の情報を受信して、この情報をデータ提供状態情報５１として保存して、Ａ系プロセスデータ送信手段群２２０それぞれから受信したＡ系データ属性変更回数情報群４３０をデータ属性変化情報５２として保存するように構成されている。
【００３５】
Ｂ系プロセスデータ送信手段２５は、データ提供状態更新手段２３で保存されたデータ提供状態情報５１を読み取り可能に構成されている。Ｂ系プロセスデータ送信手段２５は、このデータ提供状態情報５１を読み取って、提供状態が提供できていないことまたは提供状態が確認できないということを認識したときには、Ｂ系プロセスデータ入力手段２４で入力されたＢ系プロセスデータ４５およびＢ系データ属性変更回数情報４７を、Ｂ系データ送信用メモリ３３を介して、データ収集処理部１３に送信するように構成されている。
【００３６】
また、提供状態が提供可能であると認識したときには、Ｂ系プロセスデータ４５およびＢ系データ属性変更回数情報４７をデータ収集処理部１３に送信しないように構成されている。
【００３７】
これにより、データ管理処理部群１１０それぞれが送信したＡ系プ口セスデータ群４１０の提供状態の情報およびＡ系データ属性変更回数情報群４３０を、データバックアップ処理部１２を備えた少なくとも１台の装置によってバックアップすることが可能になる。
【００３８】
また、データ管理処理部群１１０のうち、異常となったデータ管理処理部のＡ系プ口セスデータ群４１０およびＡ系データ属性変更回数情報群４３０に対応するデータのみを、データバックアップ処理部１２によって、データ収集処理部１３に送信する。すなわち、異常な状態の間のみデータ収集処理部１３に送信することが可能となる。これにより、データ収集処理部１３へのデータ伝送量を必要最小限に抑制することができる。
【００３９】
続いて、データ収集処理部１３の構成について説明する。
【００４０】
図４に示すように、データ収集処理部１３は、１つの装置によって構成されている。データ収集処理部１３は、ｎ個の施設それぞれに対応するＡ系データ受信部群７０と、データバッファリング手段２９と、バックアップデータ優先判定手段２８と、Ｂ系プロセスデータ受信手段２７と、を有する。Ａ系データ受信部群７０は、ｎ個の施設それぞれに対応する第１〜第ｎＡ系データ受信部を含んでいる。図４では、第１Ａ系データ受信部７１のみを示し、第２〜第ｎＡ系データ受信部の図示は省略している。
【００４１】
Ａ系データ受信部群７０それぞれは、Ａ系データ受信用メモリ群３４０およびＡ系プロセスデータ受信手段群２６０をそれぞれ有している。
【００４２】
Ａ系データ受信用メモリ群３４０は、第１施設〜第ｎ施設それぞれに対応する第１〜第ｎＡ系データ受信用メモリを含んでいる。図４では、第１Ａ系データ受信用メモリ３４１のみを示し、第２〜第ｎＡ系データ受信用メモリの図示は省略している。Ａ系プロセスデータ受信手段群２６０は、Ａ系データ受信用メモリ群３４０と同様に、第１施設〜第ｎ施設それぞれに対応する第１〜第ｎＡ系プロセスデータ受信手段を含んでいる。図４では、第１Ａ系プロセスデータ受信手段２６１のみを示し、第２〜第ｎＡ系プロセスデータ受信手段の図示は省略している。
【００４３】
Ａ系プロセスデータ受信手段群２６０は、Ａ系プロセスデータ送信手段群２２０により送信されたＡ系プロセスデータ群４１０およびＡ系データ属性変更回数情報群４３０を受信して、Ａ系データ受信用メモリ群３４０を介して、データバッファリング手段２９に受け渡す機能を有している。
【００４４】
Ｂ系プロセスデータ受信手段２７は、Ｂ系プロセスデータ送信手段２５により送信されたＢ系プロセスデータ４５およびＢ系データ属性変更回数情報４７を受信して、Ｂ系データ受信用メモリ３５を介してデータバッファリング手段２９に受け渡す機能を有している。
【００４５】
バックアップデータ優先判定手段２８は、Ａ系プロセスデータ受信手段群２６０およびＢ系プロセスデータ受信手段２７それぞれで受信したＡ系プロセスデータ群４１０およびＢ系プロセスデータ４５のうち、どちらを蓄積するかを判定する機能を有している。すなわち、Ａ系プ口セスデータ受信手段群２６０が、Ａ系プ口セスデータ群４１０を受信できない、または、Ａ系プ口セスデータ受信手段群２６０が受信したＡ系プ口セスデータ群４１０の一部または全てが不良を示すステータスの場合、Ｂ系プ口セスデータ受信手段２７が受信したＢ系プ口セスデータ４５を優先して蓄積するよう判定する。それ以外の場合には、Ａ系プ口セスデータ受信手段群２６０が受信したＡ系プ口セスデータ群４１０を優先するよう判定する。
【００４６】
データバッファリング手段２９は、Ａ系プロセスデータ群４１０およびＡ系データ属性変更回数情報群４３０をＡ系プロセスデータ受信手段群２６０を介して受信可能で、且つＢ系プロセスデータ４５およびＢ系データ属性変更回数情報４７をＢ系プロセスデータ受信手段２７を介して受信可能に構成されている。
【００４７】
また、データバッファリング手段２９は、バックアップデータ優先判定手段２８の判定結果に基づいて、Ａ系プロセスデータ群４１０およびＢ系プロセスデータ４５のうちどちらか一方と、Ａ系データ属性変更回数情報群４３０およびＢ系データ属性変更回数情報４７のうちどちらか一方とを、バッファリングデータ４８として一時保存可能に構成されている。
【００４８】
これにより、データ管理処理部群１１０のうち少なくとも１つのデータ管理処理部が停止した場合や、何らかの異常によって正常なＡ系プ口セスデータ群４１０を送信できないときにＢ系プ口セスデータ４５およびＢ系データ属性変更回数情報４７をデータバックアップ処理部１２から受信することによって、プロセスデータを欠損することなく蓄積することが可能になる。
【００４９】
また、データ管理処理部群１１０が異常から復帰したときには、データバックアップ処理部１２から受信している状態を、データ管理処理部群１１０からＡ系プ口セスデータ群４１０およびＡ系データ属性変更回数情報群４３０を受信する状態へ速やかに切り替える。これにより、データ管理処理部群１１０が異常から復帰後は、Ａ系プ口セスデータ群４１０およびＡ系データ属性変更回数情報群４３０を蓄積することができる。
【００５０】
続いて、データ蓄積処理部１４の構成について説明する。
【００５１】
図５に示すように、データ蓄積処理部１４は、１つの装置によって構成されており、データ保存手段６１と、データ属性取得手段６２と、Ａ系データ属性情報群４２０の情報を受信可能に構成されたＣ系データ属性情報６３と、このＣ系データ属性情報の変更回数情報を示すＣ系データ属性変更回数情報６４と、蓄積データ６５とを有する。
【００５２】
データ属性取得手段６２は、バッファリングデータ４８として一時保存されているデータ属性変更回数情報と、Ｃ系データ属性情報６３に格納されるＣ系データ属性変更回数情報６４とを比較して、変更回数情報が異なる場合には、バッファリングデータ４８で一時保存されたデータ属性変更回数情報と同じ変更回数情報を有するＡ系データ属性情報群４２０をデータ管理処理部群１１０から取得して、取得したＡ系データ属性情報群４２０に基づいてＣ系データ属性情報６３を更新可能に構成されている。
【００５３】
データ保存手段６１は、上記変更回数情報が一致した場合に、Ｃ系データ属性情報６３をバッファリングデータ４８に付加して蓄積データ６５として保存するように構成されている。
【００５４】
これにより、蓄積データ６５のプ口セスデータとデータ属性との結びつきに一致性が保たれる。さらに、データ収集処理部１３に一時保存されたバッファリングデータ４８が破棄されず、漏れなく蓄積することが可能になる。また、プ口セスデータとデータ属性を一体化して保存することによって、用途に応じデータ分割が容易になり、各種分析業務部門に広く提供が可能となる。
【００５５】
以上の説明からわかるように本実施形態によれば、プラント施設のプロセスデータの収集および蓄積を行うバックアップシステムの構成を小規模にして、データ収集におけるデータ欠損を抑制することが可能である。さらに、プラント施設の状態が変化したときの属性を蓄積データに漏れなく反映させることが可能になる。
【００５６】
本実施形態の説明は、本発明を説明するための例示であって、特許請求の範囲に記載の発明を限定するものではない。また、本発明の各部構成は本実施形態に限らず、特許請求の範囲に記載の技術的範囲内で種々の変形が可能である。
【図面の簡単な説明】
【００５７】
【図１】本実施形態のプラントデータ処理装置のブロック構成図である。
【図２】図１のデータ管理処理部群の詳細を示すブロック構成図である。
【図３】図１のデータバックアップ処理部の詳細を示すブロック構成図である。
【図４】図１のデータ収集処理部の詳細を示すブロック構成図である。
【図５】図１のデータ蓄積処理部の詳細を示すブロック構成図である。
【符号の説明】
【００５８】
１２…データバックアップ処理部、１３…データ収集処理部、１４…データ蓄積処理部、２３…データ提供状態更新手段、２４…Ｂ系プロセスデータ入力手段、２５…Ｂ系プロセスデータ送信手段、２７…Ｂ系プロセスデータ受信手段、２８…バックアップデータ優先判定手段、２９…データバッファリング手段、３３…Ｂ系データ送信用メモリ、３５…Ｂ系データ受信用メモリ、４５…Ｂ系プロセスデータ、４７…Ｂ系データ属性変更回数情報、４８…バッファリングデータ、５１…データ提供状態情報、５２…データ属性変化情報、６１…データ保存手段、６２…データ属性取得手段、６３…Ｃ系データ属性情報、６４…Ｃ系データ属性変更回数情報、６５…蓄積データ、７０…Ａ系データ受信部群、７１…第１Ａ系データ受信部、１１０…データ管理処理部群、１１１…第１データ管理処理部、１１２…第２データ管理処理部、１１３…第３データ管理処理部、１１ｎ…第ｎデータ管理処理部、２１０…Ａ系プロセスデータ入力手段群、２１１…第１Ａ系プロセスデータ入力手段、２２０…Ａ系プロセスデータ送信手段群、２２１…第１Ａ系プロセスデータ送信手段、２６０…Ａ系プロセスデータ受信手段群、２６１…第１Ａ系プロセスデータ受信手段、３１０…プラントデータ伝送路群、３１１…第１プラントデータ伝送路、３１２…第２プラントデータ伝送路、３１３…第３プラントデータ伝送路、３１ｎ…第ｎプラントデータ伝送路、３２０…Ａ系データ送信用メモリ群、３２１…第１Ａ系データ送信用メモリ、３４０…Ａ系データ受信用メモリ群、３４１…第１Ａ系データ受信用メモリ、４１０…Ａ系プロセスデータ群、４１１…第１Ａ系プロセスデータ、４２０…Ａ系データ属性情報群、４２１…第１Ａ系データ属性情報、４３０…Ａ系データ属性変更回数情報群、４３１…第１Ａ系データ属性変更回数情報
【図１】
2010086033.tif 000003
【図２】
2010086033.tif 000004
【図３】
2010086033.tif 000005
【図４】
2010086033.tif 000006
【図５】
2010086033.tif 000007